(57)【特許請求の範囲】
【請求項１】
構造破損の場合に開放可能なドアであって、前面（２）及び後面（３）と、垂直蝶番側面（４）と、前記ドアを閉めるためにロック・ラッチ（６）が突出している、ロックに関する反対側の垂直ロック側面（５）とを有する、構造破損の場合に開放可能なドアにおいて、前記ドアは、前記ロックを担持しているドア主要部（８）と、少なくとも１つの端部（９、３０）であり、どちらも前記前面（２）及び前記後面（３）により、前記ドアの前記垂直蝶番側面（４）及び前記垂直ロック側面（５）により、前記ドア主要部（８）と前記少なくとも１つのドア端部（９、３０）との間の、前記ドアの前記前面（２）から前記後面（３）まで下方に傾斜した傾斜面（１０）により包囲されている、少なくとも１つの端部（９、３０）と、前記傾斜面（１０）の対応において配置されている複数のエネルギー吸収体とを含むことを特徴とする、構造破損の場合に開放可能なドア。
【請求項２】
前記複数のエネルギー吸収体は、前記ドア主要部（８）及び前記少なくとも１つのドア端部（９、３０）の、前記傾斜面（１０）により範囲を定められているそれらの面上に対応して形成されている各半円筒形の細長い座部（１２、１３）内に収容されている、圧縮状態で作用する捻じりコイルばね（１１）であり、各捻じりコイルばね（１１）用の当接要素（１４、１５）が、前記半円筒形の細長い座部（１２、１３）の両端部に、前記ドア主要部（８）及び前記ドア端部（９、３０）と一体化して設けられている、請求項１に記載のドア。
【請求項３】
前記少なくとも１つの端部がドア上端部（９）であり、ドア下端部（３０）である、請求項２に記載のドア。
【請求項４】
前記ドア主要部（８）の全体に亘って上方に延在している溝部（２１）内に続く、前記ロック・ラッチ（６）の周囲の下面（２０）が、前記垂直ロック側面（５）上に形成されており、前記ロック・ラッチ（６）をロック解除する解除ロッド（２３）を受容するように、凹部（２２）が前記ドア上端部（９）内に形成されている、請求項３に記載のドア。
【請求項５】
前記ロック・ラッチ（６）をロック解除する前記解除ロッド（２３）は、
−  ばね（２７）により、前記下面（２０）内に上方に装填されている前記ロック・ラッチ（６）を貫通式に受容するようになされている穴部（２６）を設けられている部分（２５）と、
−  先端部（２９）を備えた最上部で終端する、前記溝部（２１）内に受容されている茎部（２８）であり、前記ドア主要部（８）及び前記ドア上端部（９）の前記前面（２）及び前記後面（３）が同一平面上にある場合、前記先端部（２９）は前記ドア上端部（９）に当接することができ、前記ドア上端部（９）の前記前面（２）及び前記後面（３）が、前記ドア上に前記最上部から下方にかけられている負荷（Ｆ）に因り、前記ドア主要部（８）の前記前面（２）及び前記後面（３）に対して内側にオフセットされている場合、前記ドア上端部（９）の前記凹部（２２）に進入することができる、茎部（２８）と
を有する、請求項４に記載のドア。
【請求項６】
前記オフセットの結果として、前記ロック・ラッチ（６）をロック解除する前記解除ロッド（２３）が、それに作用する前記ばね（２７）の前記作用下で上方に移動した場合、前記ロック・ラッチ（６）が前記ドアの前記ロック内に戻り、ロック解除位置でその中に保持される方法で、前記ロック・ラッチ（６）は底部に向かってテーパが付けられている表面を有する、請求項５に記載のドア。
【請求項７】
前記ドア下端部（３０）は、それが床の上昇の結果として上方に推力を受けた場合、上方に移動する、請求項３に記載のドア。
【請求項８】
前記ドア下端部（３０）は、床と接触している下部回動摩擦要素（３４）を有する、請求項３に記載のドア。
【発明の詳細な説明】
【技術分野】
【０００１】
本発明は構造破損の場合に開放可能なドアに関する。通常、地震、火事、洪水などの災害が建造物の構造破損を引き起こし、その結果、窓及びドア、特にドア枠及びドア・ウィングに変形をもたらす。例えば、地震事象に続いて、建造物の一部の崩壊又は床の上昇がドア・ウィングを阻止して退出を妨げることは珍しくない。従って、本発明は、一般にドアを目的としており、構造破損の結果として阻害されるそれらのロックも又目的としている。
【背景技術】
【０００２】
特開平９−０２５７４６号公報が、ばねの作用のお蔭で従来のドア・ウィングの内部に自動的に格納され得るボックス内に含有されているロックを記載している。調節部材がロック・ボックスを延出位置に維持する。地震事象の場合、ロック・ボックスが自動的に解除され、ばねによりドア内に格納されるような方法で、連動機構が調節部材に作用する。このようにして、ロック・ラッチはドア枠から外され、ドアは自由に開放される。連動機構は、ドアの上方又は下方に付けられているセンサにより作動される。
【０００３】
特開平９−２５６６９４号公報が、異なる調節部材及び連動機構を備えた、前の文献のものと類似したボックス内部に配置されているロックを記載している。
【０００４】
更に、特開平９−００４３３７号公報は、ドア枠とドア・ウィングとの間にセンサを有し、センサは、ロックを含有するボックスのいかなる変位もなく、ロックのラッチを操作するように構成されている。
【０００５】
前に引用した文献は、センサを使用しているロック解除デバイスを記載している。センサは、ドア枠とドア・ウィングとの間の境界領域に限定された小点変形（ｓｍａｌｌ  ｐｏｉｎｔ  ｄｅｆｏｒｍａｔｉｏｎ）を検出するだけであるため、センサが正確に動作しないことが起こる可能性がある。更に、センサは、それ自体でドアを妨害する、ドア自体の変形を考慮しない。
【先行技術文献】
【特許文献】
【０００６】
【特許文献１】特開平９−０２５７４６号公報
【特許文献２】特開平９−２５６６９４号公報
【特許文献３】特開平９−００４３３７号公報
【発明の概要】
【発明が解決しようとする課題】
【０００７】
本発明は、前述の欠点を克服することを目的としている。
【０００８】
本発明の主な目的は、構造破損の場合に開放可能なドアを提供することである。
【０００９】
本発明の別の目的は、構造破損を被った、建造物のドアのロックを解除するロック解除デバイスを提供することである。
【課題を解決するための手段】
【００１０】
前述の目的を達成するために、本発明は、本記述に添付されている請求項１に定義されている通り、構造破損の場合に開放可能なドアを提供し、該ドアはより大きな部分と少なくとも１つの端部とを有し、どちらもドアの垂直側面により、ドアの前面から後面まで下方に傾斜した表面により、包囲されており、前記傾斜面上には、複数のエネルギー吸収体が置かれている。
【００１１】
そのような構造配列は、傾斜面に沿った下部における端部の移行により駆動されるロック・ラッチを解除するために、デバイスがドアに適用されることを可能にする。
【００１２】
本発明の更なる特徴及び利点が、添付図面に指示的非限定的例として示されている、構造破損の場合に開放可能なドアの実施例の記述から、より明らかになるであろう。
【図面の簡単な説明】
【００１３】
【図１】特定の応力を受けていない場合の、本発明によるドアの部分斜視図である。
【図２】最上部から下方へかなりの負荷を受けている場合の、図１のドアの部分斜視図である。
【図３】図１のドアの上部の分解斜視図である。
【図４】直交面αに沿って取った、図１のドアの部分横断面図である。
【図５】直交面αに沿って取った、図２のドアの部分斜視図である。
【図６】閉鎖位置にある、本発明によるドア・ロックを示す拡大部分斜視図である。
【図７】ロック解除位置にある、本発明によるドア・ロックを示す拡大部分斜視図である。
【図８】本発明によるドアの下部の部分斜視図である。
【図９】図８のドアの下部の部分分解斜視図である。
【図１０】底部から上方への推力を伴わない位置にある、直交面βに沿って取った、図８のドアの部分の部分横断面図である。
【図１１】底部から上方への推力を伴う位置にある、直交面βに沿って取った、図８のドアの部分の部分横断面図である。
【発明を実施するための形態】
【００１４】
最初に、図１及び図２を参照すると、それぞれ、特定の応力を受けていない、本発明によるドア１、最上部から下方へ、Ｆと示されているかなりの負荷を受けている同じポート１を部分斜視図に示している。負荷Ｆは、覆っている組積（ｏｖｅｒｌｙｉｎｇ  ｍａｎｓｏｎｒｙ）の破損に因り、ドア枠に、次いでドア自体に伝達され得ると考えられる。
【００１５】
従来、本発明による、構造破損の場合に開放可能なドアは、例えば外側に向いている前面２と、内側に向いている後面３とを有する。更に、ドア１は、垂直蝶番側面４と、ドアを閉めるためにハンドル７により作動されるロック・ラッチ６が突出している、反対側の垂直ロック側面５とを有する。本発明によれば、ドア１は、ハンドル７を担持しているドア主要部８と、ドア上端部９とを含む。通常、ドア主要部８とドア上端部９とは、通常のドアを共に構成するような構造を有し、どちらも垂直側面４、５により、ドアの前面２から後面３まで下方に傾斜した表面１０により、境界が定められている。図２に一部分だけ示されている通り、複数のエネルギー吸収体が表面１０に沿って置かれているが、図３の分解斜視図により良く示されている。
【００１６】
エネルギー吸収体は、（図３において可視の）主要部８及びドア上端部９の、傾斜面１０により範囲を定められているそれらの面上に対応して形成されている各半円筒状の細長い座部１２、１３内に収容されている、圧縮で動作する捻じりコイルばね１１である。
【００１７】
半円筒状の細長い座部１２、１３は、直交面αに沿って取った図１及び図２のドアの部分横断面図である図４及び図５に最も良く示されている。各コイルばね１１用の当接要素１４、１５が主要部８及びドア上端部９と一体化されており、半円筒状の細長い座部１２、１３の各両端部になっている。
【００１８】
半円筒状の細長い座部１２、１３は、ドア主要部８の上面１８及びドア上端部９の底面１９内に挿入されているパネル１６、１７に作製されていることが好ましい。
【００１９】
ここで図６及び図７の部分斜視図も参照すると、それらは、閉鎖位置にある且つロック解除位置にある、本発明によるドア・ロックを示す。
【００２０】
ロック・ラッチ６の周囲の下面２０がドア１の垂直ロック側面５に形成されており、下面２０は、ドア主要部８の全体に亘って上方に延在している溝部２１内に続いている。凹部２２がドア上端部９に形成されている。ロック・ラッチをロック解除する解除ロッド２３が、下面２０に且つドア１のドア主要部８の溝部２１内に受容されている。ロック・ラッチ６は、それが下方にテーパが付けられたプラン２４を有するように構成されている。
【００２１】
ロック・ラッチをロック解除する解除ロッド２３は、ロック・ラッチ６を貫通式に受容するようになされた穴部２６を備えた部分２５を有する。部分２５は、ばね２７により、下面２０内に上方に装填されている。又、解除ロッド２３は、溝部２１内に受容されており且つドア主要部８及びドア上端部９の前面２及び後面３が同一平面上にある場合にドア上端部９に当接するように設計されている先端部２９を備えた最上部で終端する茎部２８を有する。これは、負荷Ｆがドアにかけられていない場合に起こる。
【００２２】
ドア１上での最上部から底部の方への負荷Ｆの付与の後に、ドア上端部９の前面２及び後面３がドア主要部８の同じ前面及び後面に対して内側にオフセットされた場合、解除ロッド２３の先端部２９はドア上端部９の凹部２２に進入する。ドア主要部８に対するドア上端部９のオフセットの結果として、ラッチ・ロック解除ロッド２３が、それに作用するばね２７の作用下で上方に移動した場合、ラッチ・ロック解除ロッドはロック・ラッチ６を通過し、その結果としてロック・ラッチ６をドア内に挿入させ、それをロック解除位置に保持する。
【００２３】
ここで図８から図１１までを参照すると、それらはそれぞれ、本発明によるドアのドア下端部の部分斜視図、分解部分斜視図、及びそれぞれ底部から上方への推力を伴わない状態及び伴う状態の、直交面βの位置に沿って取った図８のドアの部分の部分横断面図である。
【００２４】
図示の通り、特に図９において、ドア上端部９を備えた状態又はそれのない状態のどちらかのドア１は、ドア主要部８に接続されているドア下端部３０を有する。図３を参照して前述されていることと同様に、且つ同一の又は同様の部分を示すために同一参照番号を使用して、ドア主要部８とドア下端部３０とは、通常のドアを共に形成するために構成されており、どちらもドア垂直側面４、５により且つドア１の前面２から後面３まで下方に傾斜した表面１０により包囲されている。図１に一部分的だけ示されているが図９の分解斜視図により良く示されている表面１０に沿って、複数のエネルギー吸収体が圧縮状態で作用する捻じりコイルばね１１の形で置かれている。捻じりコイルばね１１は、主要部８及び（図９において可視の）ドア下端部３０の、傾斜面１０により範囲を定められているそれらの側面上に対応して形成されている各半円筒状の細長い状座部１２、１３内に収容されている。
【００２５】
半円筒状の細長い状座部１２、１３は図１０及び図１１に最も良く示されている。各捻じりコイルばね１１用の当接要素１４、１５が、ドア主要部８及びドア下端部９と一体化されており、半円筒状の細長い座部１２、１３の各両端部になっている。
【００２６】
前述の通り、半円筒状の細長い座部１２、１３は、ドア下端部３０の上面１８内に且つドア主要部８の底面内に挿入されているパネル３１、３２で作製されていることが好ましい。
【００２７】
ドア下端部３０は、ローラの形の回動摩擦要素３４が挿入されている底部パネル３３を有することが有利である。
【００２８】
図面に示されていないが、従来、蝶番で動くようにされているドアが、例えば床の上昇（図示せず）の結果として、矢印Ｇで示されている、底部から上部の方への推力を受けた場合、ドア１のドア下端部３０は、滑動により上方へ移動する。この滑動は、床と接触している回動摩擦要素３４により促進される。
【００２９】
本発明によるドアの動作は明確であるべきである。ドア外形、例えばドア枠、に変形が起こった場合、それは、実質的に下方及び上方からの、ドアの圧縮に繋がると考えられ、ドアは、それが存在している位置で動きが取れないままであると考えられる。例えば地震事象後の構造破損の場合、退出が阻止されると考えられるため、これはドアが閉鎖位置にある場合に特に危険である。傾斜面１０に沿ったその位置の変位に因るドアの変形は、ドアのサイズを縮小し、従ってその蝶番上でのドアの回転を可能にする。ドアが閉鎖位置にあり且つ上方から負荷がかけられている場合、ラッチ解除デバイスは、それでもやはりドアの開放を可能にすると考えられる。
【００３０】
解除デバイスは、ドア上端部の代わりにドア下端部と接続されていてもよいことが明白であるべきである。該解除の滑動は下方であると考えられる。
【００３１】
危機的な時期が過ぎ、もはやドア上に異常な負担がかかっていない場合、エネルギー吸収体はもはやそれらの圧縮位置になく、ドアはその通常の構造を復旧することができることは明らかである。
【図１】
0006674388.tif 000002
【図２】
0006674388.tif 000003
【図３】
0006674388.tif 000004
【図４】
0006674388.tif 000005
【図５】
0006674388.tif 000006
【図６】
0006674388.tif 000007
【図７】
0006674388.tif 000008
【図８】
0006674388.tif 000009
【図９】
0006674388.tif 000010
【図１０】
0006674388.tif 000011
【図１１】
0006674388.tif 000012